(57)【要約】【課題】必要なタイミングでリアルタイムに動画広告などのコンテンツを視聴することができるダウンロードシステム及びダウンロード方法を提供すること。【解決手段】移動通信センタ４において、ユーザの在圏情報及び通信の時間別混雑度についての混雑度情報を異なる通信システム毎に収集し、在圏情報及び混雑度情報に基づいて配信エリア及び配信タイミングを決定し、配信エリア及び配信タイミングにしたがって広告配信サーバ６からのコンテンツを携帯端末１にダウンロードする旨の指示を通信システムに対して行う。これにより、広告配信サーバ６からのコンテンツを、移動通信センタ４を介して携帯端末１にダウンロードする。【選択図】図１
2008288992.tif 000002
【特許請求の範囲】
【請求項１】
コンテンツ配信サーバからのコンテンツを、移動通信センタを介して携帯端末装置にダウンロードするダウンロードシステムであって、前記移動通信センタは、ユーザの在圏情報及び通信の時間別混雑度についての混雑度情報を異なる通信システム毎に収集する収集手段と、前記在圏情報及び混雑度情報に基づいて配信エリア及び配信タイミングを決定する決定手段と、前記配信エリア及び配信タイミングにしたがって前記コンテンツ配信サーバからのコンテンツを携帯端末装置にダウンロードする旨の指示を前記通信システムに対して行うダウンロード指示手段と、を具備することを特徴とするダウンロードシステム。
【請求項２】
前記移動通信センタは、前記在圏情報に基づいて、前記通信システム毎の配信可能なコンテンツ容量及び時間帯を求める演算手段を有することを特徴とする請求項１記載のダウンロードシステム。
【請求項３】
前記コンテンツ配信サーバは、コンテンツ提供者が選択した、コンテンツや配信対象者に関する配信希望情報を前記移動通信センタに送信し、前記決定手段は、前記配信希望情報に基づいて前記配信タイミングを決定することを特徴とする請求項１又は請求項２記載のダウンロードシステム。
【請求項４】
前記コンテンツは相対的に大容量のコンテンツであり、前記決定手段は、前記配信対象者が在圏する確率が相対的に高く、前記時間別混雑度が相対的に低いエリア及び時間帯を前記配信エリア及び前記配信タイミングとして決定することを特徴とする請求項３記載のダウンロードシステム。
【請求項５】
コンテンツ配信サーバからのコンテンツを、移動通信センタを介して携帯端末装置にダウンロードするダウンロード方法であって、前記移動通信センタにおいて、ユーザの在圏情報及び通信の時間別混雑度についての混雑度情報を異なる通信システム毎に収集する工程と、前記在圏情報及び混雑度情報に基づいて配信エリア及び配信タイミングを決定する工程と、前記配信エリア及び配信タイミングにしたがって前記コンテンツ配信サーバからのコンテンツを携帯端末装置にダウンロードする旨の指示を前記通信システムに対して行う工程と、を具備することを特徴とするダウンロード方法。
【請求項６】
前記移動通信センタにおいて、前記在圏情報に基づいて、前記通信システム毎の配信可能なコンテンツ容量及び時間帯を求めることを特徴とする請求項５記載のダウンロード方法。
【請求項７】
前記コンテンツ配信サーバにおいて、コンテンツ提供者が選択した、コンテンツや配信対象者に関する配信希望情報を前記移動通信センタに送信し、前記移動通信センタにおいて、前記配信希望情報に基づいて前記配信タイミングを決定することを特徴とする請求項５又は請求項６記載のダウンロード方法。
【請求項８】
前記コンテンツは相対的に大容量のコンテンツであり、前記移動通信センタにおいて、前記配信対象者が在圏する確率が相対的に高く、前記時間別混雑度が相対的に低いエリア及び時間帯を前記配信エリア及び前記配信タイミングとして決定することを特徴とする請求項７記載のダウンロード方法。
【発明の詳細な説明】
【技術分野】
【０００１】
本発明は、相対的に大容量のコンテンツを携帯端末装置にダウンロードするダウンロードシステム及びダウンロード方法に関する。
【背景技術】
【０００２】
近年、地上ディジタルテレビ放送用の携帯端末が開発され、ＣＭなどの動画を使った広告を携帯端末で視聴できるようになってきている。携帯端末でこのような動画広告を視聴にするためには、例えば、移動通信網を使ったストリーミング配信を用いる方法がある（特許文献１）。
【特許文献１】特開２００３−２４２０６９号公報
【発明の開示】
【発明が解決しようとする課題】
【０００３】
移動通信網の通信コストは、新技術に対応した通信設備に対する継続的な投資や、無線ネットワークリソースに上限があるため参入事業者数が限られることなどにより、有線ブロードバンド通信網のコストより高い。また、この課題を解決するために、公衆エリア無線ＬＡＮ（Wireless Local Area Network）などの比較的低コスト、広帯域な通信システムを利用しても、これらの通信システムの利用エリアが限定されているために、必要なタイミングでリアルタイムに閲覧することはできないという課題がある。
【０００４】
本発明はかかる点に鑑みてなされたものであり、必要なタイミングでリアルタイムに動画広告などのコンテンツを視聴することができるダウンロードシステム及びダウンロード方法を提供することを目的とする。
【課題を解決するための手段】
【０００５】
本発明のダウンロードシステムは、コンテンツ配信サーバからのコンテンツを、移動通信センタを介して携帯端末装置にダウンロードするダウンロードシステムであって、前記移動通信センタは、ユーザの在圏情報及び通信の時間別混雑度についての混雑度情報を異なる通信システム毎に収集する収集手段と、前記在圏情報及び混雑度情報に基づいて配信エリア及び配信タイミングを決定する決定手段と、前記配信エリア及び配信タイミングにしたがって前記コンテンツ配信サーバからのコンテンツを携帯端末装置にダウンロードする旨の指示を前記通信システムに対して行うダウンロード指示手段と、を具備することを特徴とする。
【０００６】
この構成によれば、ユーザの在圏情報及び通信の時間別混雑度についての混雑度情報を異なる通信システム毎に収集し、在圏情報及び混雑度情報に基づいて配信エリア及び配信タイミングを決定しているので、必要なタイミングでリアルタイムに動画広告などのコンテンツを視聴することができる。
【０００７】
本発明のダウンロードシステムにおいては、前記移動通信センタは、前記在圏情報に基づいて、前記通信システム毎の配信可能なコンテンツ容量及び時間帯を求める演算手段を有することが好ましい。
【０００８】
本発明のダウンロードシステムにおいては、前記コンテンツ配信サーバは、コンテンツ提供者が選択した、コンテンツや配信対象者に関する配信希望情報を前記移動通信センタに送信し、前記決定手段は、前記配信希望情報に基づいて前記配信タイミングを決定することが好ましい。
【０００９】
本発明のダウンロードシステムにおいては、前記コンテンツは相対的に大容量のコンテンツであり、前記決定手段は、前記配信対象者が在圏する確率が相対的に高く、前記時間別混雑度が相対的に低いエリア及び時間帯を前記配信エリア及び前記配信タイミングとして決定することが好ましい。
【００１０】
本発明のダウンロード方法は、コンテンツ配信サーバからのコンテンツを、移動通信センタを介して携帯端末装置にダウンロードするダウンロード方法であって、前記移動通信センタにおいて、ユーザの在圏情報及び通信の時間別混雑度についての混雑度情報を異なる通信システム毎に収集する工程と、前記在圏情報及び混雑度情報に基づいて配信エリア及び配信タイミングを決定する工程と、前記配信エリア及び配信タイミングにしたがって前記コンテンツ配信サーバからのコンテンツを携帯端末装置にダウンロードする旨の指示を前記通信システムに対して行う工程と、を具備することを特徴とする。
【００１１】
この方法によれば、ユーザの在圏情報及び通信の時間別混雑度についての混雑度情報を異なる通信システム毎に収集し、在圏情報及び混雑度情報に基づいて配信エリア及び配信タイミングを決定しているので、必要なタイミングでリアルタイムに動画広告などのコンテンツを視聴することができる。
【００１２】
本発明のダウンロード方法においては、前記移動通信センタにおいて、前記在圏情報に基づいて、前記通信システム毎の配信可能なコンテンツ容量及び時間帯を求めることが好ましい。
【００１３】
本発明のダウンロード方法においては、前記コンテンツ配信サーバにおいて、コンテンツ提供者が選択した、コンテンツや配信対象者に関する配信希望情報を前記移動通信センタに送信し、前記移動通信センタにおいて、前記配信希望情報に基づいて前記配信タイミングを決定することが好ましい。
【００１４】
本発明のダウンロード方法においては、前記コンテンツは相対的に大容量のコンテンツであり、前記移動通信センタにおいて、前記配信対象者が在圏する確率が相対的に高く、前記時間別混雑度が相対的に低いエリア及び時間帯を前記配信エリア及び前記配信タイミングとして決定することが好ましい。
【発明の効果】
【００１５】
本発明によれば、移動通信センタにおいて、ユーザの在圏情報及び通信の時間別混雑度についての混雑度情報を異なる通信システム毎に収集し、前記在圏情報及び混雑度情報に基づいて配信エリア及び配信タイミングを決定し、前記配信エリア及び配信タイミングにしたがって前記コンテンツ配信サーバからのコンテンツを携帯端末装置にダウンロードする旨の指示を前記通信システムに対して行って、コンテンツ配信サーバからのコンテンツを、移動通信センタを介して携帯端末装置にダウンロードするので、必要なタイミングでリアルタイムに動画広告などのコンテンツを視聴することができる。
【発明を実施するための最良の形態】
【００１６】
以下、本発明の実施の形態について、添付図面を参照して詳細に説明する。本実施の形態においては、コンテンツが動画広告などの相対的に大容量のコンテンツである場合について説明する。
【００１７】
図１は、本発明の実施の形態に係るダウンロードシステムを説明するための概略構成を示す図である。図１に示すシステムは、ダウンロード先である携帯端末１と、携帯端末１と移動通信網２及び無線ＬＡＮ網３を介して接続された移動通信センタ４と、移動通信センタ４とインターネット５などのネットワークを介して接続された広告配信サーバ６及び広告主７とから主に構成されている。
【００１８】
携帯端末１は、複数の通信システムのインタフェース、例えば移動通信用のインタフェース及び無線ＬＡＮ用のインタフェースを備えている。なお、複数の通信システムのインタフェースとしては、移動通信用のインタフェース及び無線ＬＡＮ用のインタフェースに限定されず、他の通信システムのインタフェースを備えていても良い。また、携帯端末１は、オペレーティングシステム（移動機ＯＳ）を有しており、移動機ＯＳ上でブラウザ機能、ビューワ機能、ＪＡＭ（Java（登録商標） Application Manager）その他の機能が動作する。また、携帯端末１は、通常の電話機能及びメール機能を備えている。
【００１９】
移動通信網２及び無線ＬＡＮ網３は、携帯端末１と移動通信センタ４との間のネットワークである。この移動通信網２には、通常の移動通信網に加えて移動パケット通信網も含まれる。また、移動通信センタ４は、例えばｉモード（登録商標）サーバなどを有すると共に、移動通信網２及び無線ＬＡＮ網３とインターネットのような他のネットワークとを結ぶゲートウェイ機能を担っており、具体的には、情報配信機能、メール送受信機能、メール蓄積機能、契約顧客管理機能、情報提供者（Information Provider）管理機能、及び情報料課金機能を有する。
【００２０】
広告配信サーバ６は、コンテンツ提供者である広告主７が選択した、コンテンツや配信対象者に関する配信希望情報を移動通信センタ４に送信する。広告配信サーバ６は、時間帯、対象人数、コンテンツ容量などの配信希望情報を広告主７が入力可能なユーザインターフェイスを備えている。また、広告主７は、広告配信サーバ６に対して配信を希望する大容量コンテンツをアップロードする。
【００２１】
図２は、図１に示すシステムにおける移動通信センタの概略構成を示すブロック図である。移動通信センタ４は、装置全体を制御する制御部４１と、移動通信網２及び無線ＬＡＮ網３を介して携帯端末１との間で移動通信により通信を行うと共にインターネット５を介して広告配信サーバ６との間で通信を行う通信制御部４２と、移動通信システム及び無線ＬＡＮシステムにおけるユーザの在圏情報を収集するユーザデータ収集部４３と、移動通信システム及び無線ＬＡＮシステムにおける通信の時間別混雑度についての混雑度情報を収集する混雑度収集部４４と、在圏情報に基づいて配信可能なコンテンツ容量及び時間帯を求める演算部４５と、在圏情報及び混雑度情報に基づいて配信エリア及び配信タイミングを決定する配信タイミング決定部４６と、装置に搭載され、あるいはダウンロードされた種々のアプリケーションを起動するアプリ制御部４７とから主に構成されている。
【００２２】
通信制御部４２は、移動通信用インタフェースにより移動通信網２を介して携帯端末１と通信を行う。また、通信制御部４２は、無線ＬＡＮ用インタフェースにより無線ＬＡＮ網３を介して携帯端末１と無線ＬＡＮで通信を行う。また、通信制御部４２は、インターネット５を介して広告配信サーバ６からコンテンツを受信する。さらに、通信制御部４２は、後述する配信エリア及び配信タイミングにしたがって広告配信サーバ６からのコンテンツを携帯端末１にダウンロードする旨の指示を通信システム、例えば、各システムの基地局に対して行う。
【００２３】
ユーザデータ収集部４３は、移動通信システム及び無線ＬＡＮシステムにおけるユーザの在圏情報を収集する。具体的には、ユーザデータ収集部４３は、ユーザ毎の特定エリア（セクタ又はセル）の在圏時間、最終在圏からの経過時間、在圏日時、期待されるスループットデータなどの在圏情報を収集する。これらの在圏情報は、各システムの基地局やアクセスポイントで取得することができる。なお、在圏情報は、事前にモデルケースを設定して測定しても良く、携帯端末１の専用アプリにより定期的に測定して移動通信センタ４にアップロードしても良い。
【００２４】
例えば、取得した在圏情報は、図３に示すようにユーザ毎に管理される。図３から分るように、ユーザＡは、朝８時については、月曜日から金曜日まではアクセスポイントＡのエリアに在圏する確率が高く、土曜日はアクセスポイントＢのエリアに在圏する確率が高く、日曜日はアクセスポイントＣのエリアに在圏する確率が高い。なお、図３に示す在圏情報の管理項目や管理方法については特に限定されず、適宜変更することができる。
【００２５】
混雑度収集部４４は、移動通信システム及び無線ＬＡＮシステムにおける通信の時間別混雑度についての混雑度情報を収集する。具体的には、混雑度収集部４４は、システム（ベアラ）毎の時間別の混雑度情報を収集する。例えば、混雑度収集部４４は、図４（ａ），（ｂ）に示すように、システム毎の呼量と基準呼量とを収集し、収集した呼量と基準呼量とから時間別の混雑度を求める。時間別の混雑度（疎通比率）は、呼量／基準呼量により求めることができる。なお、図４（ａ）は、移動通信用の８時の混雑度を示し、図４（ｂ）は、無線ＬＡＮ用の８時の混雑度を示す。また、時間別の混雑度は、図４（ａ），（ｂ）に示す情報以外の情報を用いて算出しても良い。
【００２６】
演算部４５は、在圏情報に基づいて、通信システム毎の配信可能なコンテンツ容量及び時間帯を求める。例えば、ユーザＡの在圏情報においては、図３に示すように、金曜日の８時に９２％の確率でアクセスポイントＡに在圏し、日曜日の８時に８８％の確率でアクセスポイントＢに在圏する。また、ユーザＡのアクセスポイントＡ，Ｂに在圏する１週間の平均時間は図５（ａ），（ｂ）に示す通りである。演算部４５は、このような在圏情報を用いて、ユーザＡに対する配信可能なコンテンツ容量を求める。すなわち、図３及び図５に示す在圏情報に基づくと、金曜日の８時にはアクセスポイントＡで２１０Ｍｂｐｓの配信可能容量となり、日曜日の８時にはアクセスポイントＢで１２Ｇｂｐｓの配信可能容量となる。なお、通信システム毎の配信可能なコンテンツ容量及び時間帯を求める方法としては、これに限定されず、適宜変更して実施することができる。このようにして求められた配信可能なコンテンツ容量及び時間帯は、通信制御部４２を介して広告配信サーバ６に送信される。
【００２７】
配信タイミング決定部４６は、在圏情報及び混雑度情報に基づいて配信エリア及び配信タイミングを決定する。例えば、配信タイミング決定部４６は、配信対象者であるユーザが在圏する確率が相対的に高く、時間別混雑度が相対的に低いエリア及び時間帯を配信エリア及び配信タイミングとして決定する。すなわち、配信タイミング決定部４６は、ユーザが在圏しており、かつ、混雑しておらずコンテンツを配信するために十分スループットが出る確率の高いエリアと時間帯を決定する。
【００２８】
また、配信タイミング決定部４６は、広告配信サーバ６から送られた、広告主７の配信希望情報に基づいて配信タイミングを決定する。配信タイミング決定部４６は、配信希望情報におけるコンテンツ種別やコンテンツ容量に応じて配信に使用する通信システム（ベアラ）を決定する。このように、広告主７の配信希望情報に対応して、空いている通信システム、エリア、時間帯を決定するので、広告配信に際しての価格設定を安くすることが可能となる。
【００２９】
広告配信サーバ６は、コンテンツ提供者である広告主７が選択した、コンテンツや配信対象者に関する配信希望情報（例えば、配信可能な時間、対象人数、容量）を取得する。この配信希望情報は、例えば、広告配信サーバ６のサイトに広告主７がアクセスして入力する。具体的には、図６（ａ）に示すように、まず、配信するコンテンツを選択し、次いで、図６（ｂ）に示すように、配信対象者（ターゲット）を選択し、次いで、図６（ｃ）に示すように、配信タイミングを選択し、次いで、図６（ｄ）に示すように、コンテンツ内容を選択する。このように広告主７が選択した配信希望情報は、移動通信センタ４の配信タイミング決定部４６に送られる。
【００３０】
上述したように、演算部４５で求められた配信可能なコンテンツ容量及び時間帯は広告配信サーバ６に送られるので、配信可能なコンテンツ容量及び時間帯に基づいて、広告配信サーバ６のサイトで広告主７に選択させるコンテンツを表示する。
【００３１】
アプリ制御部４７は、装置に搭載され、あるいはダウンロードされた情報収集アプリケーションを起動させる。情報収集アプリケーションは、通信システム毎のユーザ在圏情報及び時間別混雑度情報を収集する。
【００３２】
本実施の形態によれば、ユーザの在圏情報及び通信の時間別混雑度についての混雑度情報を異なる通信システム毎に収集し、在圏情報及び混雑度情報に基づいて配信エリア及び配信タイミングを決定しているので、必要なタイミングでリアルタイムに動画広告などのコンテンツを視聴することができる。
【００３３】
次に、上記構成を有するシステムにおけるダウンロード方法について説明する。
本実施の形態に係るダウンロード方法においては、移動通信センタ４において、ユーザの在圏情報及び通信の時間別混雑度についての混雑度情報を異なる通信システム毎に収集し、在圏情報及び混雑度情報に基づいて配信エリア及び配信タイミングを決定し、配信エリア及び配信タイミングにしたがって広告配信サーバ６からのコンテンツを携帯端末１にダウンロードする旨の指示を通信システムに対して行う。これにより、広告配信サーバ６からのコンテンツを、移動通信センタ４を介して携帯端末１にダウンロードする。
【００３４】
図７は、本発明の実施の形態に係るダウンロード方法を説明するためのシーケンス図である。まず、移動通信システムの基地局及び無線ＬＡＮシステムの基地局からユーザの在圏情報（ユーザデータ）を移動通信センタ４に送信し（ＳＴ１１）、移動通信センタ４のユーザデータ収集部４３が在圏情報を収集する（ＳＴ１２）。また、移動通信システムの基地局及び無線ＬＡＮシステムの基地局から混雑度情報を移動通信センタ４に送信し（ＳＴ１３）、移動通信センタ４の混雑度収集部４４が混雑度情報を収集する（ＳＴ１４）。
【００３５】
収集された在圏情報は演算部４５に送られ、演算部４５において、在圏情報に基づいて、通信システム毎に配信可能なコンテンツ容量及び時間帯を算出する（ＳＴ１５）。算出されたコンテンツ容量及び時間帯は、広告配信サーバ６に送られる（ＳＴ１６）。また、収集された在圏情報及び混雑度情報は配信タイミング決定部４６に送られ、配信タイミング決定部４６において、在圏情報及び混雑度情報に基づいて、配信タイミング及び配信エリアや使用する通信システムが決定される（ＳＴ１７）。このとき、配信タイミングは、広告配信サーバ６から取得した配信希望情報を考慮して決定される。
【００３６】
一方、広告主７は、広告配信サーバ６のサイトにアクセスして、配信希望情報を入力する（ＳＴ１８）。また、広告主７は、配信を希望するコンテンツを広告配信サーバ６にアップロードする（ＳＴ１９）。広告配信サーバ６は、配信希望情報を移動通信センタ４に送信する（ＳＴ２０）。通信制御部４２は、配信タイミング決定部４６で決定された配信エリア及び配信タイミングを特定された通信システムの基地局に指示する（ＳＴ２１）。基地局は、移動通信センタ４からの指示にしたがって広告配信サーバ６からのコンテンツを携帯端末１に配信する（ＳＴ２２）。
【００３７】
コンテンツ配信が失敗した場合には、決定されたエリアに対して特定された通信システムで再配信を行う。そして、コンテンツの配信が完了するまでリトライを繰り返す。なお、コンテンツの再配信の手順についてはこれに限定されず、適宜変更することができる。
【００３８】
本発明は上記実施の形態に限定されず、種々変更して実施することが可能である。上記実施の形態においては、コンテンツが動画広告などの相対的に大容量のコンテンツである場合について説明しているが、本発明はこれに限定されず、コンテンツが相対的に小容量のコンテンツである場合にも適用することができる。また、本発明の範囲を逸脱しない限りにおいて、処理部や処理手順については適宜変更して実施することが可能である。その他、本発明の範囲を逸脱しないで適宜変更して実施することが可能である。
【図面の簡単な説明】
【００３９】
【図１】本発明の実施の形態に係るダウンロードシステムを説明するための概略構成を示す図である。
【図２】図１に示すシステムにおける移動通信センタの概略構成を示すブロック図である。
【図３】図１に示すシステムにおけるユーザの在圏情報を説明するための図である。
【図４】（ａ），（ｂ）は、図１に示すシステムにおける時間別の混雑度を説明するための図である。
【図５】（ａ），（ｂ）は、図１に示すシステムにおけるコンテンツ配信可能容量を説明するための図である。
【図６】（ａ）〜（ｄ）は、広告主が広告配信サーバに希望情報を登録する画面表示示す図である。
【図７】本発明の実施の形態に係るダウンロード方法を説明するためのシーケンス図である。
【符号の説明】
【００４０】
１  携帯端末
２  移動通信網
３  無線ＬＡＮ網
４  移動通信センタ
５  インターネット
６  広告配信サーバ
７  広告主
４１  制御部
４２  通信制御部
４３  ユーザデータ収集部
４４  混雑度収集部
４５  演算部
４６  配信タイミング決定部
４７  アプリ制御部
【図１】
2008288992.tif 000003
【図２】
2008288992.tif 000004
【図３】
2008288992.tif 000005
【図４】
2008288992.tif 000006
【図５】
2008288992.tif 000007
【図６】
2008288992.tif 000008
【図７】
2008288992.tif 000009